(57)【特許請求の範囲】
【請求項１】
絞り開口を備え、像面に至る光線束を調節する絞り板において、
厚みが異なる２枚の樹脂シートのうち、前記絞り開口が設けられた薄い方の第１シートと、絞り開口よりも大きい透過口が設けられた厚い方の第２シートを、絞り開口と前記透過口の中心が一致するように貼り付けて、絞り開口が設けられた薄い方の第１シートが厚い方の第２シートによって補強されるようにしたことを特徴とする絞り板。
【請求項２】
前記第２シートの厚みを０．０４ｍｍないし０．０９ｍｍの範囲としたことを特徴とする請求項１記載の絞り板。
【発明の詳細な説明】
【０００１】
【発明の属する技術分野】
本発明は、カメラなどの撮影機器に内蔵される絞り装置の絞り板に関するものである。
【０００２】
【従来の技術】
カメラなどの撮影機器に内蔵される絞り装置としては、大きさが違う複数の絞り開口を設けた絞り板をレンズ系に対して相対移動させて、その光軸上に各絞り開口をセットして、絞り開口径を同心状に連続して変化させることで、光線束を調節する回転絞りや差し込み絞りが知られている。
【０００３】
絞り板には、樹脂シート材をプレス加工することで製造できるため製造性に優れ、材料費を安くできることから、樹脂シート製のものがある。これだと、カーボンブラックなどの遮光性物質を添加した樹脂を用いることで良好な遮光性が得られ、反射率を低下させることができる。
【０００４】
ところで、こうした絞り板では、最小の絞り開口にしている場合に特に、絞り開口の内周面で反射した光の影響を受けて、ゴーストやフレアが発生することがあった。これを防止するには、絞り開口の内周面の面積を小さくするとともに、内周面の反射率を低下させるのが有効であった。
【０００５】
【発明が解決しようとする課題】
しかしながら、上述した樹脂シート製のものでは、余計な後加工をしなくとも反射率を低下させることができるが、絞り板の厚みを薄くすると、絞り板の強度が低下して耐久性が不足するとともに、必要十分な遮光性の確保が難しくなるため、絞り開口の内周面の面積を小さくするのは困難であった。
【０００６】
また、特開昭５６−１４２２６号において、金属シートに絞り開口を設けた金属シートが樹脂シートに保持されるように、インサート成形により一体に製造されたものが開示されている。これだと、強度的に問題なく絞り開口の内周面の面積を小さくできるが、反射率を下げるために金属シートの表面に塗装や表面加工を施す必要があるためコスト高であり、製造も面倒であった。
【０００７】
本発明は、上記問題点に鑑みてなされたもので、耐久性を損なうことなく絞り開口の内周面を小さくして、フレアやゴーストの発生を抑えることができるようにした絞り板を提供することを目的とする。
【０００８】
【課題を解決するための手段】
上記問題点を解決するために、本発明では、厚みが異なる２枚の樹脂シートのうち、絞り開口が設けられた薄い方の第１シートと、絞り開口よりも大きい透過口が設けられた厚い方の第２シートを、絞り開口と透過口の中心が一致するように貼り付けて、絞り開口が設けられた薄い方の第１シートが厚い方の第２シートによって補強されるようにしたもである。第２シートの厚みを０．０４ｍｍないし０．０９ｍｍの範囲とする。
【０００９】
【発明の実施の形態】
図１において、回転絞りを構成する円板形の絞り板２は、厚みが異なる２枚の樹脂シートで構成されており、遮光性の確保すると同時に透過率を低下させるために、カーボンブラックなどの遮光性物質が添加した樹脂でできている。薄い方の第１シート２ａには、大，中，小の３種類の絞り開口３，４，５が設けられ、厚い方の第２シート２ｂには、絞り開口３，４，５に対応する位置に透過口６，７，８が設けられている。
【００１０】
第１シート２ａと第２シート２ｂは、絞り開口３，４，５と透過口６，７，８の各々の中心が一致するように重ね合わせて貼り付けられており、薄い方の第１シート２ａは第２シート２ｂによって補強されている。絞り板２を回動して、レンズ系を構成するレンズ１１の光軸１１ａ上に絞り開口３，４，５をセットすることで、絞り開口径が同心状に連続して変化して光線束が調節される。
【００１１】
第２シート２ｂは、第１シート２ａよりも厚くなっており、絞り板２に必要な強度や遮光性が確保する。そのため、第１シート２ａを薄くして、絞り開口３，４，５の内周面３ａ，４ａ，５ａの面積を小さくすることができる。この第１シート２ａは、厚みｔ1 （図２参照）が０．０２ｍｍ〜０．０９ｍｍの範囲の樹脂シート材（例えば、黒色のポリエステルフイルム等）で構成されるため、透過率が約５％となるが問題ない範囲である。
【００１２】
第２シート２ｂは、第１シート２ａを補強する同時に絞り板２に必要な強度や遮光性を確保するために、厚みｔ2 （図２参照）が０．２ｍｍ〜０．３ｍｍの範囲で、透過率が０．１〜１．０％の範囲の樹脂シート材で構成されており、単独でも良好な遮光性を備えている。
【００１３】
最小の絞り開口５付近の断面を示す図２において、絞り開口５の縁から第２シート２ｂに重なるまでの長さｔ3 を、０．２ｍｍ〜０．５ｍｍの範囲として、レンズ１１と絞り開口５の縁とを結ぶ光束が第２シート２ｂの透過口８の縁にかからないようにしている。第１シート２ａのうち、第２シート２ｂから露呈する部分は少なくなっている。
【００１４】
第１シート２ａを薄くして絞り開口５の内周面５ａの面積を小さくしているので、内周面５ａで反射する光線Ａは少ない。透過口８の内周面８ａの反射率を例えば２０％とした場合、内周面８ａで反射した光線Ｂの第１シート２ａを透過する率は１％となるので問題にならない。第１シート２ａの透過口８から露呈する部分は僅かであり、第１シート２ａの透過率は約５％なので、透過口８の内周面８ａで反射しないで第１シート２ａを透過した光線Ｃは無視できる。勿論、第２シート２ａに達した光線Ｄは完全に遮られる。したがって、光線Ａ，Ｂ，Ｃ，Ｄよる影響はほとんど無く、ゴーストやフレアを効果的に抑えることができる。
【００１５】
なお、絞り開口３，４の内周面３ａ，４ａの縁から第２シート２ｂに重なるまでの長さを上記寸法にして上記効果が得られるようにしているが、重複するため、絞り開口３，４については説明を省略する。
【００１６】
ところで、絞り開口３，４，５を設けた薄い樹脂シート材と、透過口６，７，８を設けた厚い樹脂シート材とを重ね合わせて貼り付けた後、プレス加工を行って樹脂シート材から切り離すことで絞り板２を製造してもよい。この製造方法を用いると、切り離しを１回のプレスで行うことができるので工数の削減に役立ち、型も一種類で済む。遮光性物質を含む樹脂を用いることにより、遮光性の確保や反射率の低減のための後加工が不要となる。
【００１７】
なお、上記した各寸法は、レンズの種類、レンズと絞り板との距離、絞り開口や透過口の寸法などに応じて任意に変更することができるのは勿論である。また本発明の構成の適用は、回転絞り用のものに限られるものではない。例えば、図３に示すように、第１シート２０と第２シート２１からなる差し込み絞り用の異形の絞り板２２にも適用できる。
【００１８】
また、第１シートと第２シートは違う形状でもよい。例えは、図４に示すように、絞り開口２６の周りの部分が第２シート２７に貼り付けられるような大きさの第１シート２８を用いてもよい。
【００１９】
【発明の効果】
以上説明したように、本発明の絞り板では、２枚の樹脂シートを貼り付ける構成とし、厚い方の第２シートで絞り板に必要な強度と遮光性が確保されるようにしたので、第１シートを薄くして絞り開口の内周面の面積を小さくし、フレアやゴーストの発生を抑えることができる。また、遮光性物質を含む樹脂シートを用いて、遮光性の確保や反射率の低減のための後加工を不要としたので、製造コストを抑えることができる。また、第１シートの厚みは、遮光性や製造性を考慮すると０．０４ｍｍないし０．０９ｍｍの範囲が最適である。
【図面の簡単な説明】
【図１】円板形の絞り板の全体図である。
【図２】最小の絞り開口付近の要部断面図である。
【図３】異形の絞り板の一例を示す分解斜視図である。
【図４】別の絞り板の要部断面図である。
【符号の説明】
２  絞り板
２ａ  第１シート
２ｂ  第２シート
３，４，５  絞り開口
３ａ，４ａ，５ａ  内周面
６，７，８  透過口
【図１】
0003903096.tif 000002
【図２】
0003903096.tif 000003
【図３】
0003903096.tif 000004
【図４】
0003903096.tif 000005